(57)【要約】【課題】建物の屋根または屋上に対し容易かつ確実に設置し、設置後は安定姿勢を維持して、飛散防止効果を確実に発揮できる飛散防止装置と設置方法を提供する。【解決手段】建物１の屋根２に設置する複数の支持ユニット110と、支持ユニット110間に架設する飛散防止ネット120を備える飛散防止装置100を用い、支持ユニット110の支柱111を支持すると共に互いに開いた姿勢の各脚部112Ａ〜112Ｃを、屋根２の上面に当接させて固定金具200により固定孔114Ａを介して固定し、これにより、複数の支持ユニット110を屋根２の上面に所定間隔を隔てて設置し、設置した各支持ユニット110の各支柱111の上部に設けられた掛止部116に飛散防止ネット120の上部を掛止し、これにより支持ユニット110間に飛散防止ネット120を架設する。【選択図】図１
2016069829.tif 000002
【特許請求の範囲】
【請求項１】
建物の屋根または屋上に設置される複数の支持ユニットと、支持ユニット間に架設される飛散防止ネットを備える飛散防止装置であって、
前記支持ユニットは、前記飛散防止ネットの掛止部を上部に備える支柱と、当該支柱に対し上下２箇所で回動可能に連結されると共に前記支柱の支持姿勢で屋根または屋上の上面に固定金具により着脱可能に固定可能な３本以上の脚部を備えることを特徴とする飛散防止装置。
【請求項２】
前記各脚部が、上下２箇所に前記支柱に対する回動連結部を備える垂直支持部と、当該垂直部から屈曲されると共に固定用の固定孔を備えるベース部から構成されていることを特徴とする請求項１記載の飛散防止装置。
【請求項３】
前記支柱と前記脚部の連結状態を解除可能に保持するストッパーを備えていることを特徴とする請求項１または請求項２記載の飛散防止装置。
【請求項４】
建物の屋根または屋上の上面に複数の支持ユニットを設置すると共に、設置された支持ユニット間に飛散防止ネットを架設してなる飛散防止装置の設置方法であって、
前記支持ユニットは、支柱と、当該支柱に対し上下２箇所で支柱回りに回動可能に連結されると共に屋根または屋上の上面に固定用の固定孔を介して着脱可能に固定可能な３本以上の脚部を備えており、
屋根または屋上の上面において、支柱を支持すると共に互いに開いた姿勢の３本以上の各脚部を、屋根または屋上の上面に当接させて固定金具により固定孔を介して固定し、これにより、複数の支持ユニットを屋根または屋上の上面に所定間隔を隔てて設置し、
設置した各支持ユニットの各支柱の上部に設けた掛止部に飛散防止ネットの上部を掛止し、これにより支持ユニット間に飛散防止ネットを架設することを特徴とする飛散防止装置の設置方法。
【請求項５】
建物の屋根または屋上の周縁部およびその内側に複数の支持ユニットを所定の間隔で設置し、複数の支持ユニット間に飛散防止ネットを縦方向および横方向に架設することにより、飛散防止範囲を複数のブロックに分割することを特徴とする請求項４記載の飛散防止装置の設置方法。
【発明の詳細な説明】
【技術分野】
【０００１】
本発明は、建物の屋根や屋上の工事、特に塗装、防水、改修等の各種工事の際に屋根や屋上に設置して用いる飛散防止装置と、その設置方法に関するものである。
【背景技術】
【０００２】
建物の屋根や屋上に塗料（遮熱や防水、抗菌等の目的を含む）をスプレーや刷毛等で塗布作業する場合など、塗布した塗料が建物の屋根や屋上の周囲に飛散するのを防ぐため、屋根や屋上の周囲に飛散防止ネットを張り巡らす場合がある。一般には建物の周囲に仮設足場を組んで、仮設足場の上に飛散防止ネットを支持し、これにより屋根や屋上の周囲を飛散防止ネットで張り巡らしている。しかしながら、現状では、仮設足場を組む場合には多額の費用が掛かり、このため、建物の光熱費用を削減するために屋根や屋上に遮熱工事を希望しても、断念せざるを得ないか、あるいは大規模な改修工事まで待たざるを得なかった。
【０００３】
そこで、屋根の軒の鼻板や破風板の下辺部に本体をハンドルで取付け、本体に装着したパイプ体にシートを取り付けることにより、洗浄時の汚れや塗装時の塗料の飛散を防止するようにした塗料の飛散防止装置が提案されている（特許文献１参照）。
【先行技術文献】
【特許文献】
【０００４】
【特許文献１】特開２００３−２０１７６４号公報
【発明の概要】
【発明が解決しようとする課題】
【０００５】
しかしながら、上記特許文献１の装置は、屋根の軒先の周りや破風板にハンドルで固定しているため、安定性に欠け、屋根の周囲にシートを取り付けたとしても、風等を受けて取付け姿勢が不安定になり、飛散防止を確実に行えないという課題がある。また、屋根の軒先や破風からはみ出すように取り付けるため、取付け作業に困難を伴うという課題もあった。
【０００６】
本発明は、前記事情に鑑みてなされたもので、建物の屋根または屋上に対し容易かつ確実に設置し、設置後は安定姿勢を維持して、飛散防止効果を確実に発揮できる飛散防止装置と、その設置方法を提供することを目的とする。
【課題を解決するための手段】
【０００７】
上記課題を解決するために、本発明は、
建物の屋根または屋上に設置される複数の支持ユニットと、支持ユニット間に架設される飛散防止ネットを備える飛散防止装置であって、
前記支持ユニットは、前記飛散防止ネットの掛止部を上部に備える支柱と、当該支柱に対し上下２箇所で回動可能に連結されると共に前記支柱の支持姿勢で屋根または屋上の上面に固定金具により着脱可能に固定可能な３本以上の脚部を備えることを主要な特徴とする。
【０００８】
本発明に係る飛散防止装置は、前記各脚部が、上下２箇所に前記支柱に対する回動連結部を備える垂直支持部と、当該垂直部から屈曲されると共に固定用の固定孔を備えるベース部から構成されていることを第２の特徴とする。
【０００９】
本発明に係る飛散防止装置は、前記支柱と前記脚部の連結状態を解除可能に保持するストッパーを備えていることを第３の特徴とする。
【００１０】
本発明は、建物の屋根または屋上の上面に複数の支持ユニットを設置すると共に、設置された支持ユニット間に飛散防止ネットを架設してなる飛散防止装置の設置方法であって、
前記支持ユニットは、支柱と、当該支柱に対し上下２箇所で支柱回りに回動可能に連結されると共に屋根または屋上の上面に固定用の固定孔を介して着脱可能に固定可能な３本以上の脚部を備えており、
屋根または屋上の上面において、支柱を支持すると共に互いに開いた姿勢の３本以上の各脚部を、屋根または屋上の上面に当接させて固定金具により固定孔を介して固定し、これにより、複数の支持ユニットを屋根または屋上の上面に所定間隔を隔てて設置し、
設置した各支持ユニットの各支柱の上部に設けた掛止部に飛散防止ネットの上部を掛止し、これにより支持ユニット間に飛散防止ネットを架設することを主要な特徴とする。
【００１１】
本発明は、建物の屋根または屋上の周縁部およびその内側に複数の支持ユニットを所定の間隔で設置し、複数の支持ユニット間に飛散防止ネットを縦方向および横方向に架設することにより、飛散防止範囲を複数のブロックに分割することを特徴とする。
【発明の効果】
【００１２】
以上説明したように、本発明に係る飛散防止装置によれば、建物の屋根や屋上の上面に支持ユニットおよび飛散防止ネットを安定して設置し、設置後は建物の屋根や屋上の周囲を囲む飛散防止ネットにより塗布等の作業に伴う塗料等の飛散を確実に防止し、塗布等の作業を効率よく行えるとともに、施工品質を向上させることができる。
【００１３】
また、本発明に係る飛散防止装置の設置方法によれば、飛散防止装置を建物の屋根や屋上に容易に搬入して簡易に設置でき、また、塗布等の作業終了後は、同装置を速やかに撤去し、仮設足場を組む必要がないから、作業コストの大幅削減を図ることができる。
【図面の簡単な説明】
【００１４】
【図１】本発明に係る飛散防止装置を屋根の上面に設置した状態を示す側面図、
【図２】図１に示す飛散防止装置の設置状態を示す平面図、
【図３】飛散防止ネットの架設に用いる支持ユニットの斜視図、
【図４】（Ａ）は重ね式折板屋根に対する支持ユニットの取付例を示す要部側面図、（Ｂ）はハゼ式折板屋根に対する支持ユニットの取付例を示す要部側面図、
【図５】本発明に係る飛散防止装置の他の実施形態を示す平面図である。
【発明を実施するための最良の形態】
【００１５】
以下に、本発明に係る実施の形態を、図面を参照して説明する。
【００１６】
図１ないし図４は、本発明に係る一実施形態を示すもので、これらの図において、符号１００は飛散防止装置を示している。
【００１７】
飛散防止装置１００は、図１および図２に示すように、建物１の屋根２（図示例は折板屋根の例を示す。）の上面を囲むように設置され、屋根２の上面の塗装・防水・改修等の工事の際に使用される塗料等が周囲に飛散するのを防止する役目を果たす。かかる飛散防止装置１００は、屋根２の上面の周縁部２ａに一定間隔で設置される複数（図示例では１０個）の支持ユニット１１０と、隣接する支持ユニット１１０，１１０間に架設される複数（図示例では１０枚）の飛散防止ネット１２０から構成されている。
【００１８】
支持ユニット１１０は、図３に示すように、上下に延びる支柱パイプ１１１と、支柱パイプ１１１の下部に対し上下２箇所で回動可能に連結される３本のＬ字形状の脚部１１２Ａ〜１１２Ｃから構成されている。各脚部１１２Ａ〜１１２Ｃは、垂直支持部１１３と水平ベース部１１４を備えている。垂直支持部１１３には上下２箇所に前記支柱パイプ１１１に対する上側回動連結部１１３Ａと下側回動連結部１１３Ｂが設けられ、回動により開き角度を調整できるようになっている。水平ベース部１１４には屋根２の上面に対する固定用で長孔形状の複数の固定孔１１４Ａが設けられている。
【００１９】
上記支持ユニット１１０には、支柱パイプ１１１と３本の脚部１１２Ａ〜１１２Ｃの連結状態を解除可能に保持するストッパー１１５が設けられている。ストッパー１１５は、３本の脚部１１２Ａ〜１１２Ｃのうち、一番下の下側回動連結部１１３Ｂを備える脚部（図示例では脚部１１２Ｃ）の最下端に設けられた受け部１１５Ａと、支柱パイプ１１１の側面で下側回動連結部１１３Ｂと最下端の受け部１１５Ａの間に着脱可能に取り付けられた凸形の係止部１１５Ｂから構成されている。
【００２０】
したがって、支柱パイプ１１１と３本の脚部１１２Ａ〜１１２Ｃの回動連結状態では、受け部１１５Ａと係止部１１５Ｂから構成されるストッパー１１５の存在により、支柱パイプ１１１が上下の上側回動連結部１１３Ａと下側回動連結部１１３Ｂからの抜き出しが防止され（したがって、回動連結状態が保持され）、係止部１１５Ｂの取り外しにより、支柱パイプ１１１を上下の上側回動連結部１１３Ａと下側回動連結部１１３Ｂから抜き出して、分解できるようになっている。
【００２１】
支柱パイプ１１１の上端には飛散防止ネット１２０を架設するためのリング状の掛止部１１６が取り付けられている。図１に示すように、この掛止部１１６と飛散防止ネット１２０の上隅部の掛止穴に紐部材を通して結ぶことにより、隣接する支持ユニット１１０，１１０間に飛散防止ネット１２０を架設することができる。
【００２２】
次に、上記構成の飛散防止装置１００について、その設置方法を述べる。
【００２３】
最初に、図２に示すように、屋根２の上面の周縁部２ａに一定間隔で複数（図示例では１０個）の支持ユニット１１０を設置する。図示例の屋根２は水平な折板屋根であり、四隅およびその間に支持ユニット１１０を設置する。四隅の支持ユニット１１０は、中央の脚部１１２Ａを中心方向に向けると共に、左右の脚部１１２Ｂおよび１１２Ｃは互いに直角になるように縦方向および横方向に向ける。また、四隅以外の支持ユニット１１０は、中央の脚部１１２Ａを中心に向けると共に、左右の脚部１１２Ｂおよび１１２Ｃは互いに平行になるように縦方向または横方向に向ける。
【００２４】
なお、四隅以外の支持ユニット１１０は、取付場所によっては、左右の脚部１１２Ｂおよび１１２Ｃを互いに直角になるように縦方向または横方向に向け、中央の脚部１１２Ａをその中間の角度となるように向けてもよい。
【００２５】
そして、各支持ユニット１１０の各脚部１１２Ａ〜１１２Ｃを屋根２に対し固定金具で固定する。図４（Ａ）（Ｂ）は、異なる２種類の構造の折板屋根の例を示している。図４（Ａ）は重ね式の折板屋根２の例であり、折板屋根２の頂部に剣先ボルト２０１が既設されている。そこで、各脚部（図示例は脚部１１２Ｂ）における水平ベース部１１４の固定孔１１４Ａに剣先ボルト２０１を挿通し、これにナット２０２を螺合させて、同水平ベース部１１４を折板屋根２の頂部２ｂに固定する。剣先ボルト２０１とナット２０２は固定金具２００を構成する。
【００２６】
各脚部１１２Ａ〜１１２Ｃは水平ベース部１１４が折板屋根２の複数（図１では３つ）の頂部２ｂに跨って固定されるので、また、支柱パイプ１１１は３本の脚部１１２Ａ〜１１２Ｃによって３方向から安定支持されるので、各支柱パイプ１１１は図２の３方向（縦方向、横方向、斜め方向）から作用される力に対して十分抵抗することができるし、しかも、既設の剣先ボルト２０１およびナット２０２をそのまま脚部１１２Ａ〜１１２Ｃの固定金具２００として用いることができるから、固定作業が容易である。
【００２７】
図４（Ｂ）のハゼ式の折板屋根２’は頂部２ｂ’にハゼ加工（鍵形の凸部）が施されており、剣先ボルト２０１付の掴み金具２０３が既設されている。そこで、上記同様に、各脚部（図示例は脚部１１２Ｂ）における水平ベース部１１４の固定孔１１４Ａに剣先ボルト２０１を挿通し、これにナット２０２を螺合させて、同水平ベース部１１４を折板屋根２’の頂部２ｂ’に固定する。剣先ボルト２０１とナット２０２と掴み金具２０３は固定金具２００’を構成する。ハゼ式の折板屋根２’に対しても上記同様の作用効果を奏する。
【００２８】
上記のようにして、屋根２の上面の周縁部２ａに一定間隔で複数（図示例では１０個）の支持ユニット１１０を設置し終えたら、各支持ユニット１１０の上端の掛止部１１６と対応する飛散防止ネット１２０の上隅部の掛止穴に紐部材を通して結び付ける。また、隣接する飛散防止ネット１２０の相対する下隅部の掛止穴どうしおよび側面の掛止穴どうしにそれぞれ紐部材を通して結び付ける。飛散防止ネット１２０は、屋根２の上面より下方に垂れ下がる長さを有し、互いに接合することで、塗料等の飛散を効果的に防止できる。
【００２９】
飛散防止装置１００の設置が完了したら、屋根２の上面に対する塗料のスプレーや刷毛等による塗布作業を行う。塗料の種類としては、さび止め、着色、遮熱、防水、耐候、抗菌等を目的とする各種の塗料を適用できる。また、塗布作業前にグラインダ等を用いた古い塗布層の剥離作業が事前に行われる場合がある。かかる作業においては、塗料成分や剥離成分の粉末・微粉末が発生するが、周囲が飛散防止ネット１２０で囲まれるので、それらの粉末・微粉末の建物周囲への飛散が防止される。
【００３０】
本実施形態の飛散防止装置１００によると、各支持ユニット１１０が屋根２の上面に強固にまた安定して支持されるので、飛散防止ネット１２０を屋根２の上面の周囲に安定して確実に架設できる。これにより、スプレーや刷毛等による塗布作業を安心して行え、作業効率が向上する。
【００３１】
また、各支持ユニット１００は、脚部１１２Ａ〜１１２Ｃを開かずにコンパクトに閉じた状態で運搬することができ、例えば、業務用エレベータがあるような大きな建物の場合、必要数の各支持ユニット１００をコンパクト化して業務用エレベータを利用して屋上に運び込み、短時間で設置し、直ちに作業を開始することができる。
【００３２】
塗布作業が終了したら、飛散防止ネット１２０を外すと共に、固定金具２００，２００’のナット２０２を剣先ボルト２０１から外して各支持ユニット１００の脚部１１２Ａ〜１１２Ｃを屋根２，２’の頂部から外し、各支持ユニット１００を再びコンパクト化して業務エレベータ等を通じて建物外へ搬出する。このようにして作業終了後は飛散防止装置１００を容易に撤去できる。撤去後は、固定金物２００，２００’を元の既設状態に戻せばよい。また、各支持ユニット１００の設置箇所等、塗料の塗り残しがある箇所は、撤去後に刷毛等により仕上げの塗布作業を行えばよい。
【００３３】
本実施形態によると、従来のような仮設足場を組まなくて済むから、建物の屋根や屋上に対する塗布、防水、補修等の作業費用の大幅なコスト削減を図ることができる。
【００３４】
図５は本発明に係る他の実施形態を示すもので、図２に示す設置例に対し、本実施形態の飛散防止装置１００’は、屋根２の周縁部２ａだけでなく、中央に４本の脚部１１２Ａ〜１１２Ｄを備える支持ユニット１１０’を設置するようにしている。支持ユニット１１０’は４本の脚部１１２Ａ〜１１２Ｄを備えることで、各脚部を四方向に開くことができ、支持ユニット１１０’の安定性をより向上させることができる。
【００３５】
図５の設置例によると、周縁部２ａの支持ユニット１１０と中央部の支持ユニット１１０’の間に縦方向および横方向に飛散防止ネット１２０を架設することで、飛散防止範囲をブロック毎に制限することができ、より風が吹く日など、飛散防止効果を向上させることができる。
【００３６】
さらにブロック毎に飛散防止を図りながら、塗布作業を行えるので、数ブロックの塗布作業が終わって次のブロックに移る場合など、既に塗布作業が終了したブロックの支持ユニット１１０は並行して撤去作業を進めることができ、塗布作業全体の作業効率の短縮化を図ると共に、撤去した支持ブロック１１０は次の現場へ移動させ、次の現場での塗布作業の準備に入ることができる。
【００３７】
なお、飛散防止ネット１２０は、塗料等の粉末・微粉末の飛散を防止できる機能があればよく、材質は特に問わない。持ち運びや仮設の容易さ、風圧等を考慮すると、軽量で耐久性、耐候性があり、通気性はよいが、塗料等の粉末・微粉末は通過させないサイズのメッシュ素材が望ましい。
【００３８】
また、各支持ユニット１１０の脚部１１２Ａ〜１１２Ｃは、屋根のこう配に応じて、一部の脚部の垂直部１１３Ａと水平ベース部１１３Ｂの角度を変更できるようにしてもよい。さらに、固定金物２００，２００’は折板屋根に対する既設のものをそのまま用いたが、支持ユニット１１０の設置場所に既設の固定金物がない場合、新たに設置してよい。その場合、施工後、新たな固定金物はそのまま残し、上からキャップ等で防護すればよい。
【００３９】
かくして、本発明の飛散防止装置を用いて、建物の屋根や屋上に対する塗布、防水、改修等の作業効率や施工品質を向上させることができ、また、施工費用の削減も向上させることができる。
【産業上の利用可能性】
【００４０】
本発明に係る飛散防止装置は、建物の屋根や屋上の工事、特に塗装、防水、改修等の各種工事の際に屋根や屋上に設置して用いる装置として利用可能である。
【符号の説明】
【００４１】
１  建物
２，２’  折板屋根
２ａ  周縁部
２ｂ  頂部
２ｃ  中心部
１００，１００’  飛散防止装置
１１０  支持ユニット
１１１  支柱
１１２Ａ，１１２Ｂ，１１２Ｃ，１１２Ｄ  脚部
１１３  垂直支持部
１１３Ａ  上側回動連結部
１１３Ｂ  下側回動連結部
１１４  水平ベース部（ベース部）
１１４Ａ  固定孔
１１５  ストッパー
１１５Ａ  受け部
１１５Ｂ  係止部材
１１６  掛止部
１２０  飛散防止ネット
２００，２００’  固定金具
２０１  剣先ボルト
２０２  ナット
２０３  掴み金具
【図１】
2016069829.tif 000003
【図２】
2016069829.tif 000004
【図３】
2016069829.tif 000005
【図４】
2016069829.tif 000006
【図５】
2016069829.tif 000007